(57)【要約】【課題】  輝度を補正する補正係数のばらつきが大きく、それを保存するためのメモリや補正演算回路の規模が膨大になる。【解決手段】  複数の発光素子（２）が一定の間隔で配列してなる発光部（１０）と、前記発光部の前記複数の発光素子の輝度を記憶する輝度メモリ（６１）と、前記輝度メモリから前記複数の発光素子の各々の輝度（Ｌ１、Ｌ２）を読み出し、補正係数（α、β）を算出する演算部（６２）と、前記補正係数の、隣り合うＮ個（Ｎは２以上の整数）の前記発光素子についての平均値（α３、β３）を算出する平均化部（６３）と、前記補正係数の平均値を記憶する補正係数メモリ（６４）と、前記補正係数メモリに記憶された前記補正係数の平均値を用いて、階調信号を補正する補正部（６６）とを有することを特徴とする発光装置。【選択図】  図１５
2015003501.tif 000002
【特許請求の範囲】
【請求項１】
複数の発光素子が一定の間隔で配列してなる発光部と、
前記発光部の前記複数の発光素子の輝度を記憶する輝度メモリと、
前記輝度メモリから前記複数の発光素子の各々の輝度を読み出し、補正係数を算出する演算部と、
前記補正係数の、隣り合うＮ個（Ｎは２以上の整数）の前記発光素子についての平均値を算出する平均化部と、
前記補正係数の平均値を記憶する補正係数メモリと、
前記補正係数メモリに記憶された前記補正係数の平均値を用いて、階調信号を補正する補正部と
を有することを特徴とする発光装置。
【請求項２】
前記演算部が算出する前記補正係数は、前記階調信号に乗算されるゲイン補正係数と、前記乗算の結果に加算するオフセット補正係数とを含むことを特徴とする請求項１に記載の発光装置。
【請求項３】
前記平均化部が算出する前記補正係数の平均値が、前記ゲイン補正係数の平均値と、前記オフセット補正係数の平均値とを含むことを特徴とする請求項２に記載の発光装置。
【請求項４】
前記補正部は、前記階調信号に前記ゲイン補正係数の平均値を乗算する乗算器と、前記乗算器の出力に前記オフセット補正係数の平均値を加算する加算器とを含むことを特徴とする請求項３に記載の発光装置。
【請求項５】
前記輝度メモリが、２つの階調信号についての前記発光素子の輝度を記憶することを特徴とする請求項１ないし４のいずれか１項に記載の発光装置。
【請求項６】
前記Ｎが、視認できる周期的輝度ムラの最小周期内にある前記発光素子の数であることを特徴とする請求項１ないし５のいずれか１項に記載の発光装置。
【発明の詳細な説明】
【技術分野】
【０００１】
本発明は、表示装置や電子写真プリンタの感光体露光装置などの発光装置に関し、より詳しくは、マトリクス状またはライン状に配列した複数の発光素子からなる発光装置に関する。
【背景技術】
【０００２】
発光素子が１方向に規則的に配列した発光装置は、電子写真方式の複写機やプリンタなどの画像形成装置の露光光源として用いられる。各発光素子には駆動回路が付随しており、画像データに基づいて駆動回路に階調信号が与えられ、それに応じた電流が発光素子に流れることにより発光が生じる。
【０００３】
発光素子としては、有機ＥＬ素子、無機ＥＬ素子、発光ダイオード、電界放出型の蛍光素子などがある。これらの発光装置を露光光源として用いるとき、発光素子間に輝度のばらつきがあると、出来上がった画像にすじ状のムラとなって表れ、印画品質を悪化させる。
【０００４】
カラー表示装置においては、異なる色で発光する発光素子が行列をなして配列しており、発光素子間の輝度ばらつきがあると、色ムラとなって画質を低下させる。
【０００５】
輝度ばらつきを低減させるため、複数の発光素子を所定の階調値で発光させた時の光量値を測定して基準の光量値との比を補正係数とし、この補正係数を用いて入力される画像データの階調値を補正する方法がある。このとき、測定した光量値のばらつきが大きいと、補正係数の値が大きくなって、ディジタル値であらわすときのビット数が大きくなる。その結果、補正係数を記憶したり入力画像データとの演算を行うときの回路規模が大きくなり、回路にかかるコストの増加を招く。
【０００６】
特許文献１は、測定した光量値リストを、ハイパスフィルタとローパスフィルタを通して、空間周波数の高い高周波成分と空間周波数の低い低周波成分に分離し、それぞれが所定の許容範囲に収まるように補正係数を算出する補正方法を開示する。高周波成分と低周波成分のばらつき範囲が大きく異なる場合に、それぞれの許容範囲を設定することにより、補正係数の値を小さく抑えることができる。
【０００７】
特許文献２は、インクジェットプリンタのヘッドに関し、ヘッドの据え付け角度がずれたときの画像に生じる濃度ムラを抑制する発明である。濃度ムラの空間周波数が小さくなるにつれて、ムラが見えやすくなることを説明している。
【先行技術文献】
【特許文献】
【０００８】
【特許文献１】特開２００７−４４８９８号公報
【特許文献２】特開２００７−２９７８６号公報
【発明の概要】
【発明が解決しようとする課題】
【０００９】
輝度を測定して空間周波数ごとの許容範囲を設定する場合に、設定する許容範囲は、輝度測定結果によって変動する。また、高周波数と低周波数を分けるカットオフ周波数をどのあたりにするかによって、設定する許容範囲も異なってくる。
【００１０】
許容範囲を人為的に決定すると、さまざまな輝度変動に対して一様にムラを低減することが困難である。測定された輝度データから最適な許容範囲とカットオフ周波数を定め、それに基づいて輝度を補正する方法が望まれていた。
【課題を解決するための手段】
【００１１】
本発明は、複数の発光素子が一定の間隔で配列してなる発光部と、
前記発光部の前記複数の発光素子の輝度を記憶する輝度メモリと、
前記輝度メモリから前記複数の発光素子の各々の輝度を読み出し、補正係数を算出する演算部と、
前記補正係数の、隣り合うＮ個（Ｎは２以上の整数）の前記発光素子についての平均値を算出する平均化部と、
前記補正係数の平均値を記憶する補正係数メモリと、
前記補正係数メモリに記憶された前記補正係数の平均値を用いて、階調信号を補正する補正部と
を有することを特徴とする。
【発明の効果】
【００１２】
補正係数の移動平均をとって、それを用いて階調信号を補正することにより、ばらつきの上限を人為的に設定することがなくなり、任意のばらつき程度に対応した補正が可能になる。また、補正係数を保存するためのメモリ容量を抑えることができる。
【図面の簡単な説明】
【００１３】
【図１】補正の原理を示す図である。
【図２】もとの補正係数とＮ＝３の移動平均をとった補正係数のばらつきを比較する図である。
【図３】補正係数の大きさとビット幅の関係を表す図である。
【図４】もとの輝度と補正した輝度のばらつきを比較する図である。
【図５】隣接する３画素毎に補正係数を共通にした図である。
【図６】もとの輝度と３画素毎に補正係数を共通にして補正したときの輝度のばらつきを比較する図である。
【図７】空間周波数が一定の輝度ムラを表す図である。
【図８】Ｎ＝１〜５の移動平均をとった輝度を表す図である。
【図９】輝度ムラの見えやすさと空間周波数の関係を示す図である。
【図１０】補正後の輝度ムラの見えやすさと移動平均数の関係を示すである。
【図１１】解像度を２倍にしたときの補正後の輝度ムラの見えやすさと移動平均数の関係を示すである。
【図１２】解像度と移動平均数の最大値の関係を示す図である。
【図１３】実施例の発光装置の構成を示すブロック図である。
【図１４】発光部の詳細な構成を示すブロック図である。
【図１５】信号処理部の詳細な構成を示すブロック図である。
【発明を実施するための形態】
【００１４】
図１は、有機ＥＬ素子の階調と輝度の関係を示し、有機ＥＬ素子の輝度（実線）がばらついて、平均値（破線）からずれている様子を示している。輝度のばらつきは、主に、発光素子の特性が不均一であること、駆動回路のトランジスタ特性が不均一であることによって生じるが、おおむね、最大階調と最小階調の間で輝度が直線的に変化する。
以下、一定の間隔をあけて規則的に並んでいる有機ＥＬ素子の１つ１つを画素ということにする。ｉ番目の画素について、最大階調Ｘ１に対する輝度をＬ１（ｉ），最小階調Ｘ２に対する輝度をＬ２（ｉ），中間の階調Ｘに対する輝度をＬｘ（ｉ）とすると、
Ｌｘ（ｉ）＝｛（Ｌ１（ｉ）−Ｌ２（ｉ））／（Ｘ１−Ｘ２）｝・（Ｘ−Ｘ２）＋Ｌ２（ｉ）                                        （式１）
と近似できる。
【００１５】
輝度を全画素について平均をとったものを添え字ａｖであらわすと、平均の画素について、
Ｌｘａｖ＝｛（Ｌ１ａｖ−Ｌ２ａｖ）／（Ｘ１−Ｘ２）｝・（Ｘ−Ｘ２）＋Ｌ２ａｖ
（式２）
が成り立つ。図１の実線が式１、破線が式２に対応する。
【００１６】
ｉ番目の画素に階調信号Ｘが与えられたとき、実際の画素に与える階調信号をＸ’に補正して、輝度Ｌｘ（ｉ）を上式の平均の輝度Ｌｘａｖに等しくすることを考えると、補正後の階調信号Ｘ’は、
Ｘ’＝α（ｉ）・Ｘ＋β（ｉ）                  （式３）
として求められる。ここで、係数α（ｉ）とβ（ｉ）は、それぞれゲイン補正係数とオフセット補正係数と呼ばれ、
α（ｉ）＝（Ｌ１ａｖ−Ｌ２ａｖ）／（Ｌ１（ｉ）−Ｌ２（ｉ））      （式４）
β（ｉ）＝（（Ｌ２ａｖ−Ｌ２（ｉ））・Ｘ１＋（Ｌ１（ｉ）−Ｌ１ａｖ）・Ｘ２）／（Ｌ１（ｉ）−Ｌ２（ｉ））                    （式５）
である。式１に、Ｘの代わりに式３のＸ’を代入すると、右辺が式２に一致することが確かめられる。
【００１７】
したがって、２つの階調信号に対する輝度Ｌ１，Ｌ２を測定で求め、その平均値Ｌ１ａｖ、Ｌ２ａｖを計算し、式４と式５からαとβを求めておく。階調信号Ｘが入ってきたときに、このαとβを使い、式３によって補正された階調信号を決定する。この補正された階調信号で有機ＥＬ素子を発光させることにより、有機ＥＬ素子の輝度ムラをなくすことができる。
【００１８】
平均値Ｌ１ａｖ、Ｌ２ａｖの代わりに、標準となる輝度Ｌ１ｓｔ、Ｌ２ｓｔをあらかじめ定めておき、階調信号Ｘに対する標準輝度Ｌｘｓｔを式２と同様に定義して、Ｌｘ（ｉ）がそれに一致するように補正することもできる。
【００１９】
ところで、式４と式５で求められる補正係数は、Ｌ１（ｉ）とＬ２（ｉ）が近い値をとるときに非常に大きくなり、それを記憶するためのメモリも大容量になる。また、式３によって階調信号を補正する際に、大きなビット数のディジタル演算回路が必要になり、回路規模が大きくなってしまう。
【００２０】
この困難を回避するため、本発明は、補正にあたって、個々の画素の輝度の測定値をそのまま用いて輝度を補正するのでなく、周囲の画素を含む何個かの平均的な輝度に基づいて補正を行う。
【００２１】
（第１の実施形態）
本実施形態は、式４，５で求めた補正係数を用いずに、各画素に、それを含んでとなりあう複数個の画素の補正係数の平均値を割り当てて、それを用いて階調信号を補正する。
【００２２】
例として、３個の画素についての平均をとる方法を以下に説明する。
【００２３】
ｉ番目の画素とその両隣の（ｉ−１）番目と（ｉ＋１）番目の画素からなる３個の画素について、補正係数αおよびβの平均を取り、これをｉ番目の画素の新たな補正係数α３（ｉ）およびβ３（ｉ）とする。これをすべての画素について行う。すなわち、
α３（ｉ）＝｛α（ｉ−１）＋α（ｉ）＋α（ｉ＋１）｝／３      （式６）
β３（ｉ）＝｛β（ｉ−１）＋β（ｉ）＋β（ｉ＋１）｝／３      （式７）
ｉ＝２、３、・・・、Ｍ−１（Ｍは画素の総数）
両端のｉ＝１とｉ＝Ｍの画素には新たな補正係数が割り当てられないが、それらを実際に用いないダミー素子にして補正対象から除外しておけば問題はない。あるいは、あらかじめ両端の外に仮想的な画素を置いて、ダミーデータを与えておいてもよい。また、上の例では、３個の画素の平均値を中央の画素に割り当てたが、右端あるいは左端の画素に割り当ててもよい。平均をとる画素の数が多くなると、平均値を配列の中央近くの画素に割り当てることが好ましい。
【００２４】
図２は、式４で求めた補正係数αと、隣接する３つの画素の平均をとった式６の補正係数α３とを比較する図である。ただし、縦軸が１−αと１−α３になっている。
【００２５】
平均をとる前の補正係数αの値のばらつき範囲（最大値と最小値の間１１）に比べ、平均をとった後の補正係数α３のばらつき範囲（最大値と最小値の間１２）が狭くなっていることがわかる。図２ではばらつき範囲として最大値と最小値の間隔を取っているが、αとα３それぞれについて、平均値との差の２乗平均すなわち分散を求めて比較しても、同様に、α３の分散がαの分散より小さくなる。βについても隣接する３個についての平均β３をつくると、ばらつき範囲がβに比べて小さくなっていることがわかる。
【００２６】
α、βをα３、β３に置き換えることにより、それらを記憶するメモリの容量が少なくて済み、演算回路の規模も小さくすることができる。
【００２７】
図３に平均化の前と後の補正係数の違いを示す。平均化の前後で補正係数がａ１からａ２へとビット幅の境界を越えるように変化すると、補正係数αを保存するメモリのビット幅と、演算回路のビット数が小さくなるので、これらの回路規模を小さくすることができる。
【００２８】
図４は、階調信号を補正しないときの輝度（破線）と、α３とβ３を用いて補正した輝度（実線）を比較して示した図である。補正前と後の輝度ばらつきを比較すると、補正により、数画素にまたがる輝度ばらつき（例えば、２５番目から３５番目の画素のばらつき）が補正されていることがわかる。移動平均をとった補正係数を用いることにより、低周波の輝度ばらつきが減少していることが確認できる。
【００２９】
平均化する前の補正係数αとβをもちいると、輝度のグラフは図の横軸０％に一致し、完全に均一になる。平均化した補正係数α３、β３を用いると、これらはもとのα、βとは異なるので、補正は完全ではなく、実線が示すようにばらつきが残る。しかし、補正後の輝度ばらつきの範囲は小さくなっていることがわかる。
【００３０】
以上は、３個の画素について補正係数の平均をとる例であるが、２個、あるいは４個以上の補正係数の平均をとる場合も同様の手順で補正する。
【００３１】
一般に、１次元の配列データに対して、連続するＮ個（Ｎは２以上の整数）のデータの平均をとり、１つずつずらせて繰り返すことにより得られる新たなデータを、移動平均という。またＮを移動平均数という。移動平均後のデータは、もとのデータと同じ平均値を持つ。また、個々のデータが独立にばらつく場合、移動平均数Ｎの移動平均をとると、もとのデータに比べ、分散が１／Ｎになる。補正係数のばらつきがＮとともに小さくなっていくのはこの理由による。
【００３２】
移動平均数Ｎを大きくすると、補正係数の値のばらつきの幅は狭くなっていくから、メモリや演算回路の回路規模縮小の効果が大きくなる。一方、移動平均数Ｎが大きいほどもとの補正係数α、βとの違いも大きくなるので、輝度の補正はより不完全になり、輝度ばらつきを減少させる効果は小さくなっていく。移動平均数Ｎは、回路規模の縮小と補正の効果とのバランスを考慮して決定されることが好ましい。
【００３３】
移動平均を取って補正することは、移動平均数Ｎより小さい範囲の輝度ムラを無視し、Ｎより大きい範囲の輝度ムラだけを補正することを意味している。輝度が空間的に非常に狭い範囲でばらついたとしても、それが視認される限界以下であれば補正は不要である。一方、広い範囲の輝度ムラは目に付きやすく、補正する必要がある。移動平均はこの目的に合った補正方法である。
【００３４】
移動平均数Ｎを視認される最小の輝度ムラの大きさより大きくすると、十分に補正されない輝度ムラが目に見えてしまう。一方、移動平均数Ｎが視認される最小の輝度ムラの大きさより小さいと、目に見えない細かいムラまでも不必要に補正される上、回路規模が大きくなってしまう。移動平均数Ｎを、視認される最小の輝度ムラの大きさと一致させることが、回路規模の縮小と輝度ムラの抑制を両立させる上でもっとも好ましいということができる。
【００３５】
以上の説明では、移動平均をとった補正係数を各画素に割り当てたが、補正係数を保持するメモリの容量を少なくするために、移動平均をとった後の補正係数を、隣接するいくつかの画素について同じにしてもよい。図５は、拡大図内に示すように、移動平均数Ｎ＝３の移動平均をとった補正係数を、移動平均をとった３つの画素について同じ値にしたものである。補正係数を同じ値にした場合でも、移動平均演算前の補正係数αの分布幅１３に比べ、移動平均演算後の補正係数α３の分布幅１４が狭くなる。また、Ｍ個の画素について共通の補正係数を採用することにより、補正係数データの数は１／Ｍとなる。
【００３６】
図６は、図５の補正係数をとった場合に、輝度ばらつきがどのように補正されるかを示す。縦軸は各画素の輝度を全画素の平均輝度で規格化してある。補正前後の輝度ばらつきを比較すると、補正により、数画素（例えば、２５番目から３５番目の画素）にまたがる輝度ばらつきが小さくなっている。移動平均をとった補正係数を用いることによって、低周波の輝度ばらつきが減少していることが確認できる。
【００３７】
（第２の実施形態）
補正係数の移動平均をとる代わりに、輝度の移動平均をとり、それをもとに階調信号を補正することもできる。
【００３８】
図７は、空間周波数４．０ｃｙｃｌｅ／ｍｍ、振幅１の周期的輝度むらを表すグラフである。横軸は、画素の配列方向の位置を表している。画素は、Ｔｐｉｘ＝４２μｍ間隔で配列している。解像度は６００ｄｐｉである。
【００３９】
図８は、図７の輝度に、Ｎ＝１〜５の移動平均演算を施した結果を示す。Ｎ＝１の移動平均はすなわちもとの輝度である。Ｎ＝２以上の移動平均により輝度の最大値が減少する。
【００４０】
移動平均をとった輝度を、もとの輝度（図８のＮ＝１のグラフ）から差し引いた値を補正後の輝度とする。図８の移動平均後の輝度ムラの振幅をｋ２とすると、補正により、輝度ムラの振幅が１−ｋ２に減少する。以下、ｋ２を本実施形態での補正係数と呼ぶ。
【００４１】
Ｎ＝１の移動平均を補正に用いると、補正後の輝度ムラは０になる。Ｎ＝２，Ｎ＝３とＮを大きくしていくにつれてｋ２が小さくなるから、補正後の輝度ムラの振幅は大きくなり、補正が不完全になる。補正の効果を一定以上に保つには、移動平均数Ｎに上限を規定する。以下、その方法について説明する。
【００４２】
図９は、振幅が１で空間周波数が異なる周期的輝度ムラについて、それが目に見える度合い（視認性）を縦軸にとり、空間周波数を横軸にとって示したグラフである。低周波数の極限での視認性を１とし、それとの比較で視認性を定量化する。視認性は、空間周波数が増えるとともに小さくなっていく。
【００４３】
図９の縦軸をｋ１とすると、振幅ａの周期的輝度ムラの視認性Ａは、
Ａ＝ａ・ｋ１
となる。
【００４４】
空間周波数が４ｃ／ｍｍ以下の細かいムラは目に見えないとすると、補正により、輝度ムラを空間周波数４ｃ／ｍｍにおける視認性０．３７以下にすればよいことになる。例えば、輝度むらの空間周波数が１．９のとき、補正前の視認性ｋ１は０．９であり、これを０．３７以下にするために、補正係数ｋ２は、
ａ・ｋ１（１−ｋ２）≦０．３７
となるように決定され、それからＮの上限が決定される。
【００４５】
補正前の視認性が０．３７より大きい空間周波数０〜４．０ｃｙｃｌｅ／ｍｍの輝度むらについて、移動平均数Ｎと補正後の視認性との関係を図１０に示す。
【００４６】
図８より、ある空間周波数の周期的輝度ムラに対して移動平均を行う際、移動平均数Ｎが増えるにつれて、補正係数ｋ２が減少する。このため、補正後の輝度ムラの視認性は、移動平均数Ｎの増加とともに大きくなる。
【００４７】
図１０から、視認性が０．３７以下となる移動平均数Ｎの上限は５であることがわかる。
【００４８】
空間周波数のカットオフ周波数を４ｃ／ｍｍにとったので、視認される輝度ムラの最小周期は２５０μｍである。この周期内には、４２．５μｍ間隔で有機ＥＬ素子が５ないし６個含まれている。移動平均数Ｎの上限は、視認される輝度ムラの最小周期内にある画素数とほぼ一致する。
【００４９】
図１１は、解像度が１２００ｄｐｉの時の各空間周波数における移動平均数Ｎと補正後の視認性との関係を表すグラフである。図１１より、発光素子の配置の解像度１２００に対する移動平均数Ｎの上限値は１０である。同様に解像度２４００ｄｐｉ、４８００ｄｐｉ時の移動平均数Ｎの上限値を求めると、それぞれＮ＝２１、Ｎ＝４３であった。
【００５０】
解像度Ｘと移動平均数Ｎの上限値Ｙとの関係を図１２に示す。解像度が６００ｄｐｉ〜４８００ｄｐｉにおけるＸとＹの関係は、近似的に、
Ｙ＝０．００９１＊Ｘ−０．７
であった。発光素子の解像度をＸとしたとき、移動平均をとるときの隣接する画素数Ｎの上限値Ｙは、この式から導くことができる。
【実施例】
【００５１】
図１３は、本発明の実施例である電子写真プリンタの露光装置の構成を示す図である。
【００５２】
露光装置１００は、発光部１０と、信号処理部６とを含んでおり、必要に応じて測定部２０が取り付けられる。発光部１０は、基板１の上に、発光素子である複数個の有機ＥＬ素子２と、有機ＥＬ素子２に駆動電流を供給する駆動回路３と、駆動回路３に走査信号とその他の制御信号を与える走査回路５とが設けられてなる。信号処理部６は、外部から送られる画像データＤ０を補正し、データ信号を発光部にあたえる。
【００５３】
有機ＥＬ素子２は総数Ｍ＝５０４０個で、基板１の長手方向に４２μｍ間隔で周期的に配列しており、２１２ｍｍの幅で不図示の感光ドラムに光を照射する。
【００５４】
図１４は、基板１の詳細な構成を示す図である。ここでは、信号処理部６が基板１の上に形成されているとして描いてある。
【００５５】
有機ＥＬ素子２には駆動回路３を構成する画素回路１ａ，２ａ、・・・，ｎｍが個別に接続されている。有機ＥＬ素子２と駆動回路３は、ｍブロックに分けられ、各ブロックにｎ個の有機ＥＬ素子２と画素回路１ａ，２ａ，・・・，ｎａが含まれている。本実施例では、ｎ＝７２、ｍ＝７０、有機ＥＬ素子の総数は５０４０個である。有機ＥＬ素子２と駆動回路３はブロックごとに制御される。
【００５６】
画素回路には、電源線１１と接地線１２、データ信号線４、走査線を含む３本の制御線Ｐ１−Ｐ３が接続されている。電源線１１から電源電圧ＶＯＬＥＤが供給され、接地線１２から共通カソード電圧ＶＯＣＯＭが供給される。
【００５７】
走査回路５は、画素回路ブロック毎にＰ１、Ｐ２、Ｐ３の制御信号を供給する。走査回路５は、外部からクロック信号ＣＫとその補信号ＣＫＢ、走査開始信号ＳＴ、および波形信号Ｐが入力される。
【００５８】
データ信号線４は７２本あって、それぞれのデータ信号線４が、信号処理部６が出力するデータ電圧ＶＤ（１）〜ＶＤ（７２）をブロック順次で画素回路１ａ，２ａ・・・に伝達する。各ブロックは制御信号Ｐ１によって選択される。
【００５９】
図１３の露光装置１００は、基板１とは別に、各画素の輝度を個別に測定する測定部２０を伴っている。
【００６０】
測定部２０は、有機ＥＬ素子２からの光を受光する受光部２１と、基板の長手方向に沿って受光部を移動させる移動機構２４と、受光部２１からの信号を信号処理部６に伝える信号伝達部２２を備えている。
【００６１】
測定部２０は、基板１の有機ＥＬ素子２に一定の階調信号があたえられ有機ＥＬ素子が発光している間に、各有機ＥＬ素子２の輝度を測定する。ここでは、測定に際して与える階調信号を、最大の階調であるＸ１と最低の階調であるＸ２の２つであるとし、それに対応した輝度Ｌ１（ｉ）とＬ２（ｉ）が各画素ｉ（ｉ＝１〜Ｍ，Ｍ＝５０４０）について測定されるとする。信号伝達部２２は、受光部２１の移動に伴って測定される結果を順に基板１の信号処理部６に送っていく。あるいは、信号伝達部２２にメモリ２３が接続されていて、全ての画素の測定結果をいったんメモリ２３に保持した後、信号処理部６に転送してもよい。
【００６２】
また、測定部２０を露光装置１００とは別体とし、必要に応じて露光装置に取り付けて測定を行うようにしてもよい。露光装置１００の製造時に、測定部２０をとりつけて輝度を測定しておき、その後取り外して出荷してもよい。その場合、メモリ２３を着脱可能にしておき、測定後にメモリ２３を測定部２０から取り外して、取り外したメモリ２３を信号処理部６に取り付ける。
【００６３】
図１５は、信号処理部６の構成を示すブロック図である。
【００６４】
信号処理部６には、画素の輝度を与える画像データＤ０が入力される。画像データＤ０は、４ビット１６階調の階調信号であり、時系列でコンピュータなどの外部回路から送られてくる。
【００６５】
信号処理部６には、また、測定部２０から測定結果Ｌ０が入力される。測定結果Ｌ０は、２つの階調信号Ｘ１とＸ２を与えて測定された全画素の輝度Ｌ１（ｉ）とＬ２（ｉ）（ｉ＝１−Ｍ、Ｍは画素の総数）からなる。
【００６６】
測定結果Ｌ０は、そのまま輝度メモリ６１に蓄えられる。測定部２０が切り離し可能なメモリ２３を備えていて、切り離されたメモリが露光装置に取り付けられているときは、取りつけられたメモリが輝度メモリ６１となる。
【００６７】
演算部６２は、まず、輝度メモリ６１に蓄えられた測定結果Ｌ１（ｉ）およびＬ２（ｉ）を、ｉ＝１から順に読み出して順次加算し、最後に画素の総数Ｍで除算して全画素についての平均値Ｌ１ａｖとＬ２ａｖを算出する。結果はレジスタ６５に保持しておく。
【００６８】
演算部６２は、次いで、再び輝度メモリ６１から１番目の画素についての測定結果Ｌ１（１），Ｌ２（１）を読み出し、レジスタ６５に保持されたＬ１ａｖとＬ２ａｖを使って、式４，５によってゲイン補正係数α（１）とオフセット補正係数β（１）を算出する。同様に、２番目と３番目の画素についても、順に測定結果を読み出して、補正係数α（２）とβ（２）、およびα（３）とβ（３）を計算する。これらの計算結果は、順にスタックメモリ６７に保持される。
【００６９】
演算部６２で３番目の画素の補正係数の計算が終了し、結果がスタックメモリ６７に送られた時点で、平均化部６３が、スタックメモリ６７に保持されているｉ＝１，２，３の３画素分の補正係数α（１）、β（１）、α（２）、β（２）、α（３）、β（３）を読み出す。そしてその平均値を式７と式８によって計算する。その結果を新たなゲイン補正係数α３（２）、オフセット補正係数β３（２）として出力し、これを２番目の画素に割り当てる。具体的には、補正係数メモリ６４の２番目のデータ位置に保持する。
【００７０】
演算部６２は次に、輝度メモリ６１から４番目の画素の測定結果Ｌ１（４）とＬ２（４）を読み出し、式４，５によって補正係数α（４）とβ（４）を計算し、結果をスタックメモリ６７に送る。スタックメモリ６７は３つまでのデータを保持するが、それ以上にデータが上乗せされると、一番先に入力されたデータが失われる構造になっている。補正係数α（４）とβ（４）がスタックメモリ６７に送られた時点では、１番目の画素の補正係数α（１）とβ（１）が失われ、スタックメモリ６７には、α（２）〜α（４）と、β（２）〜β（４）が保持されている。
【００７１】
この時点で、再び、平均化部６３がスタックメモリ６７から補正係数α（２）〜α（４）、β（２）〜β（４）を読み出してその平均を計算し、結果を３番目の画素の平均化されたゲイン補正係数α３（３）とオフセット補正係数β３（３）として出力する。α３（３）とβ３（３）は、補正係数メモリ６４の３番目のデータ位置に保持される。
【００７２】
以下、４番目、５番目、・・・５０３９番目まで、演算部６２と平均化部６３は、順次、画素の位置をずらせて同様の計算を行う。これで、補正係数のＮ＝３の移動平均が実行されたことになる。移動平均をとったあとの補正係数α３（ｉ）とβ３（ｉ）は、ｉ＝２からｉ＝５０３９まで計算され、補正係数メモリ６４に蓄えられる。
【００７３】
演算部６２が算出した補正係数α（ｉ）とβ（ｉ）は、算出後の全ての期間にわたって保存しておく必要はない。平均化部６３が、次のｉ＋１番目の画素について補正係数の平均値α３（ｉ＋１）とβ３（ｉ＋１）を計算した後は、α（ｉ）とβ（ｉ）は消去してよい。すなわち、スタックメモリ６７の段数は、高々移動平均数Ｎと等しくてよい。このように、α（ｉ）またはβ（ｉ）が偶々大きな数値になることがあっても、それらを全ての画素について保存する必要はないので、大容量のメモリは不要である。
【００７４】
補正係数メモリ６４に保持されるα３（ｉ）とβ３（ｉ）は、全ての画素について保存される必要があるが、α（ｉ）およびβ（ｉ）よりも小さな範囲の数なので、補正係数メモリ６４の容量も小さくてよい。
【００７５】
補正部６６は、時系列で送られてくるＤ０に含まれる階調信号Ｘを受けて、これを順次、式３によって補正し、補正後の階調信号Ｘ’を生成する。補正部６６は、階調信号Ｘと移動平均をとったゲイン補正係数α３（ｉ）を乗算する乗算器６６ａと、乗算器の出力に移動平均をとったオフセット補正係数β３（ｉ）を加算する加算器６６ｂとからなっている。加算器の出力Ｘ’は、補正された画像データＤ１として補正部６６から時系列で出力される。
【００７６】
補正部６６から出力された画像データＤ１は、ブロック単位で、７２段のシフトレジスタ６９で並列信号Ｄ１（１）−Ｄ１（７２）に変換される。並列信号Ｄ１（１）−Ｄ１（７２）は、ディジタル−アナログ変換器（Ｄ／Ａコンバータ）６８でアナログの電圧信号ＶＤ（１）−ＶＤ（７２）になり、基板１のデータ信号線４にデータ信号として送られる。
【符号の説明】
【００７７】
２  発光素子
６  信号処理部
１０  発光部
２０  測定部
６１  輝度メモリ
６２  演算部
６３  平均化部
６４  補正係数メモリ
６６  補正部
１００  露光装置
【図１】
2015003501.tif 000003
【図２】
2015003501.tif 000004
【図３】
2015003501.tif 000005
【図４】
2015003501.tif 000006
【図５】
2015003501.tif 000007
【図６】
2015003501.tif 000008
【図７】
2015003501.tif 000009
【図８】
2015003501.tif 000010
【図９】
2015003501.tif 000011
【図１０】
2015003501.tif 000012
【図１１】
2015003501.tif 000013
【図１２】
2015003501.tif 000014
【図１３】
2015003501.tif 000015
【図１４】
2015003501.tif 000016
【図１５】
2015003501.tif 000017